(57)【要約】【課題】  カメラの傾斜角を検知して、ユーザーの設定した特定の角度でバックライトやモニタのＯＮ／ＯＦＦを実行できるカメラを提供する。【解決手段】  本発明のカメラは、液晶表示部と、該液晶表示部の裏面に配置されたバックライトと、カメラ正位置に対する上下方向または光軸回転方向の傾斜角を検知可能なカメラ傾斜センサと、ユーザーの入力に基づいて、前記バックライトの点灯角度および消灯角度を予め登録された複数の角度からそれぞれ１以上選択可能な角度設定部と、バックライト消灯時に前記傾斜角が前記点灯角度となる場合は前記バックライトを点灯し、バックライト点灯時に前記傾斜角が前記消灯角度となる場合は前記バックライトを消灯する制御部と、を有することを特徴とする。【選択図】  図１
2006135767.tif 000002
【特許請求の範囲】
【請求項１】
液晶表示部と、
該液晶表示部の裏面に配置されたバックライトと、
カメラ正位置に対する上下方向または光軸回転方向の傾斜角を検知可能なカメラ傾斜センサと、
ユーザーの入力に基づいて、前記バックライトの点灯角度および消灯角度を予め登録された複数の角度からそれぞれ１以上選択可能な角度設定部と、
バックライト消灯時に前記傾斜角が前記点灯角度となる場合は前記バックライトを点灯し、バックライト点灯時に前記傾斜角が前記消灯角度となる場合は前記バックライトを消灯する制御部と、
を有することを特徴とするカメラ。
【請求項２】
液晶表示部と、
該液晶表示部の裏面に配置されたバックライトと、
カメラ正位置に対する上下方向または光軸回転方向の傾斜角を検知可能なカメラ傾斜センサと、
前記カメラ傾斜センサで検知される傾斜角の入力に基づいて、前記バックライトの点灯角度および消灯角度をそれぞれ１以上設定可能な角度設定部と、
バックライト消灯時に前記傾斜角が前記点灯角度となる場合は前記バックライトを点灯し、バックライト点灯時に前記傾斜角が前記消灯角度となる場合は前記バックライトを消灯する制御部と、
を有することを特徴とするカメラ。
【請求項３】
カメラ外面に配置されたモニタと、
カメラ正位置に対する上下方向または光軸回転方向の傾斜角を検知可能なカメラ傾斜センサと、
ユーザーの入力に基づいて、前記モニタの表示開始角度および表示停止角度を予め登録された複数の角度からそれぞれ１以上選択可能な角度設定部と、
モニタ非表示時に前記傾斜角が前記表示開始角度となる場合は前記モニタの画面表示を開始し、モニタ表示中に前記傾斜角が前記表示停止角度となる場合は前記モニタの画面表示を停止する制御部と、
を有することを特徴とするカメラ。
【請求項４】
カメラ外面に配置されたモニタと、
カメラ正位置に対する上下方向または光軸回転方向の傾斜角を検知可能なカメラ傾斜センサと、
前記カメラ傾斜センサで検知される傾斜角の入力に基づいて、前記モニタの表示開始角度および表示停止角度をそれぞれ１以上設定可能な角度設定部と、
モニタ非表示時に前記傾斜角が前記表示開始角度となる場合は前記モニタの画面表示を開始し、モニタ表示中に前記傾斜角が前記表示停止角度となる場合は前記モニタの画面表示を停止する制御部と、
を有することを特徴とするカメラ。
【請求項５】
前記制御部は、前記表示開始角度において撮影画像の再生画面または設定画面を前記モニタに表示することを特徴とする請求項３または請求項４に記載のカメラ。
【発明の詳細な説明】
【技術分野】
【０００１】
本発明はカメラについて、特に液晶表示部のバックライト等のＯＮ／ＯＦＦ制御に関する。
【背景技術】
【０００２】
従来から多くのカメラには、撮影可能フレーム数などを表示するための液晶表示部が設けられている。また、特に電子カメラでは撮影画像等を再生表示するモニタ（例えば、ＴＦＴ液晶ディスプレイ）がカメラの背面側に配置されていることが多い。これらの液晶表示部やモニタは自発光式ではないため、その裏面にバックライトが設けられていることが一般的である。
【０００３】
そして、カメラにおける液晶表示部のバックライトの電源操作についても従来から様々な提案がなされている。例えば、特許文献１には、カメラの正位置または縦位置の姿勢変化のみを検出してバックライトの電源を遮断するカメラが開示されている。また、特許文献２には、カメラの正位置または縦位置などの姿勢変化を検出してバックライトの照明継続時間を設定するカメラが開示されている。
【特許文献１】特開平７−１４０５３４号公報
【特許文献２】特開２０００−１９６１８号公報
【発明の開示】
【発明が解決しようとする課題】
【０００４】
ところで、ユーザーが液晶表示部を確認するときのカメラの姿勢は撮影の状況、液晶表示部等の位置、ユーザーの体格や嗜好などに応じて多様に変化する。例えば、カメラの上側に位置する液晶表示部について説明すると、カメラ正位置に構えて撮影する状況ではカメラを傾けてユーザーが液晶表示部を確認することがあるが、斜め下方を撮影する状況ではカメラ正位置に立てて液晶表示部を確認するようになる。また、カメラ背面のモニタで再生画像を観賞する場合についても、同様にカメラの姿勢は撮影の状況等に応じて変化しうる。
【０００５】
一方、上記従来技術のカメラではバックライトの電源操作を柔軟にカスタマイズできないため、ユーザーが液晶表示部を確認したい状況でバックライトの電源が遮断されたり、逆に電源を遮断したい状況でバックライトが長く点灯して電池が消費されるなどの不都合があった。また、カメラ背面のモニタの表示開始／表示停止の制御についても、上記と同様に細かくカスタマイズされたカメラの姿勢変化で操作できればユーザーの利便性は向上する。
【０００６】
本発明は上記従来技術の課題を解決するためのものであって、その目的は、カメラ正位置に対する傾斜角を検知して、ユーザーの設定した特定の角度でバックライトやモニタのＯＮ／ＯＦＦを実行できるカメラを提供することである。
【課題を解決するための手段】
【０００７】
請求項１の発明に係るカメラは、液晶表示部と、該液晶表示部の裏面に配置されたバックライトと、カメラ正位置に対する上下方向または光軸回転方向の傾斜角を検知可能なカメラ傾斜センサと、ユーザーの入力に基づいて、前記バックライトの点灯角度および消灯角度を予め登録された複数の角度からそれぞれ１以上選択可能な角度設定部と、バックライト消灯時に前記傾斜角が前記点灯角度となる場合は前記バックライトを点灯し、バックライト点灯時に前記傾斜角が前記消灯角度となる場合は前記バックライトを消灯する制御部と、を有することを特徴とする。
【０００８】
請求項２の発明に係るカメラは、液晶表示部と、該液晶表示部の裏面に配置されたバックライトと、カメラ正位置に対する上下方向または光軸回転方向の傾斜角を検知可能なカメラ傾斜センサと、前記カメラ傾斜センサで検知される傾斜角の入力に基づいて、前記バックライトの点灯角度および消灯角度をそれぞれ１以上設定可能な角度設定部と、バックライト消灯時に前記傾斜角が前記点灯角度となる場合は前記バックライトを点灯し、バックライト点灯時に前記傾斜角が前記消灯角度となる場合は前記バックライトを消灯する制御部と、を有することを特徴とする。
【０００９】
請求項３の発明に係るカメラは、カメラ外面に配置されたモニタと、カメラ正位置に対する上下方向または光軸回転方向の傾斜角を検知可能なカメラ傾斜センサと、ユーザーの入力に基づいて、前記モニタの表示開始角度および表示停止角度を予め登録された複数の角度からそれぞれ１以上選択可能な角度設定部と、モニタ非表示時に前記傾斜角が前記表示開始角度となる場合は前記モニタの画面表示を開始し、モニタ表示中に前記傾斜角が前記表示停止角度となる場合は前記モニタの画面表示を停止する制御部と、を有することを特徴とする。
【００１０】
請求項４の発明に係るカメラは、カメラ外面に配置されたモニタと、カメラ正位置に対する上下方向または光軸回転方向の傾斜角を検知可能なカメラ傾斜センサと、前記カメラ傾斜センサで検知される傾斜角の入力に基づいて、前記モニタの表示開始角度および表示停止角度をそれぞれ１以上設定可能な角度設定部と、モニタ非表示時に前記傾斜角が前記表示開始角度となる場合は前記モニタの画面表示を開始し、モニタ表示中に前記傾斜角が前記表示停止角度となる場合は前記モニタの画面表示を停止する制御部と、を有することを特徴とする。
【００１１】
請求項５の発明は、請求項３または請求項４の発明において、前記制御部は、前記表示開始角度において撮影画像の再生画面または設定画面を前記モニタに表示することを特徴とする。
【発明の効果】
【００１２】
本発明のカメラは、カメラ正位置に対する上下方向または光軸回転方向の傾斜角をカメラ傾斜センサで検知し、制御部はユーザーにより設定された特定の角度でバックライトやモニタのＯＮ／ＯＦＦを実行する。したがって、本発明ではバックライト等の点灯時や消灯時に煩雑なボタン操作が不要となってカメラの操作性が向上する。また、バックライト等をＯＮ／ＯＦＦするカメラの角度はユーザーが自由に設定できるので、ユーザーが液晶表示部を確認したい状況でバックライト等の電源が遮断されたり、逆に電源を遮断したい状況でバックライト等が長く点灯するようなこともない。さらに、バックライト等の効率的な消灯でカメラの消費電力を抑制することもできる。
【発明を実施するための最良の形態】
【００１３】
（本実施形態の構成の説明）
図１は本実施形態のカメラのブロック図である。本実施形態のカメラ１は、撮像素子２と、Ａ／Ｄ変換部３と、画像処理部４と、カメラ傾斜センサ５と、液晶表示部６と、液晶モニタ７と、操作部８と、照明スイッチ９と、モニタスイッチ１０と、切替スイッチ１１と、制御部１２とを有している。
【００１４】
撮像素子２は被写体像を光電変換する受光画素が２次元配列された受光面を有し、撮像素子２の受光面は撮影レンズ（図示を省略する）の像空間側に配置される。そして、撮影レンズを介して投影された被写体像は、撮像素子２の受光面で光電変換されてアナログ画像信号として出力される。Ａ／Ｄ変換部３は撮像素子２のアナログ画像信号をデジタル画像信号に変換して画像処理部４に出力する。
【００１５】
画像処理部４はデジタル画像信号に対して、補間、ホワイトバランス、ガンマ補正などの各種画像処理を施して撮影画像データを生成する。この撮影画像データは圧縮伸長部で所定の圧縮処理が施された後に記録媒体に記録される（圧縮伸長部および記録媒体の図示は省略する）。
カメラ傾斜センサ５は公知の傾斜センサで構成され、カメラ１の傾斜角を検知して制御部１２に傾斜角データを出力する。このカメラ傾斜センサ５は、カメラ正位置（レンズの光軸を水平とし、カメラの下面を下向きに構えた状態）を基準として、上下方向および光軸回転方向の２方向の傾斜角をそれぞれ検出できるようになっている（図２参照）。カメラ傾斜センサ５の検出角度の範囲および分解能は、センサの要求性能に応じて設計により適宜変更される。なお、本実施形態では上下方向の傾斜角は上向きの傾斜角を正の値として表記し、光軸回転方向の傾斜角は時計回り方向の傾斜角を正の値として表記する。
【００１６】
液晶表示部６は、撮影可能フレーム数、絞り値などの情報を表示するための液晶表示パネルであって、例えば、カメラ１の上面や背面などに配置される。また、液晶モニタ７は透過性または半透過性の液晶ディスプレイ等であって、主としてカメラ１の背面に配置される。この液晶モニタ７には、撮影画像の再生画面やカメラ１の設定変更を行うための設定画面が表示される。そして、液晶表示部６および液晶モニタ７の裏側には、視認性を高めるための照明手段としてバックライト６ａ，７ａがそれぞれ配置されている。
【００１７】
操作部８は、例えばコマンドダイヤル、十字状のカーソルキー、決定ボタンなどで構成される。この操作部８は、バックライト６ａ，７ａの点灯角度および消灯角度の入力や、液晶モニタ７の表示開始角度および表示停止角度の入力などに使用される。
照明スイッチ９は、バックライト６ａ，７ａの点灯／消灯を手動で切り替えるスイッチである。また、モニタスイッチ１０は、液晶モニタ７の表示開始／表示停止を手動で切り替えるスイッチである。さらに、切替スイッチ１１は、後述の傾斜角の検知によるバックライト６ａ，７ａの自動点灯モードおよび液晶モニタ７の自動表示モードのＯＮ／ＯＦＦを切り替えるスイッチである。
【００１８】
制御部１２はカメラ１の各部を制御し、例えば、ＡＥ演算およびＡＦ演算などに必要な各種演算処理などを実行する。また、制御部１２は、ユーザーの入力に基づいてバックライト６ａ，７ａの点灯角度および消灯角度や、液晶モニタ７の表示開始角度および表示停止角度を設定する。さらに、制御部１２は、カメラ傾斜センサ５の傾斜角データに基づいてカメラ１の現在の傾斜角を検知する。
【００１９】
そして、バックライト６ａ，７ａの自動点灯モードがＯＮの場合、制御部１２はカメラ１の現在の傾斜角が表示開始角度または表示停止角度となると、バックライト６ａ，７ａの点灯／消灯を切り替える。同様に、液晶モニタ７の自動表示モードがＯＮの場合、制御部１２はカメラ１の現在の傾斜角が表示開始角度および表示停止角度となると、液晶モニタ７の表示開始／表示停止を切り替える。なお、制御部１２は、液晶モニタ７の自動表示モードにおいて表示開始時に再生画面を表示するか、あるいは設定画面を表示するかを設定することができる。
【００２０】
（バックライトの自動点灯モードの説明）
以下、図３に沿って本実施形態におけるバックライトの自動点灯モードを説明する。なお、ここでは、カメラ上部に配置された液晶表示部６のバックライト６ａの自動点灯モードの例を説明する。
ステップＳ１０１：制御部１２は、ユーザーの入力に基づいてバックライト６ａの点灯角度および消灯角度を設定する。なお、前回設定された点灯角度および消灯角度をそのまま使用する場合には次のＳ１０２に移行する。
【００２１】
本実施形態での点灯角度および消灯角度の設定は以下の２つの手法のいずれかで行われる。（１）ユーザーは、予めカメラ１に登録されている複数の角度（カメラ正位置を基準に一定角度毎に選択可能とする、など）から操作部８で点灯角度および消灯角度を選択し、制御部１２に点灯角度および消灯角度を入力する。あるいは、（２）ユーザーはカメラ１を実際に傾けて、カメラ傾斜センサ５で検知した傾斜角を点灯角度および消灯角度として制御部１２に入力してもよい。なお、これらの点灯角度および消灯角度はそれぞれ複数の角度を制御部１２に登録でき、ユーザーは登録された角度を任意に組み合わせて点灯角度および消灯角度の設定をすることも可能である。
【００２２】
ここで、図４から図６を参照しつつ、バックライト６ａの点灯角度および消灯角度の設定例を説明する。
（１）カメラ１を正位置に構えて撮影する状況では、ユーザーはカメラ１を上側に傾けて液晶表示部６を確認することがある。この場合には、ユーザーは点灯角度を上下方向に＋３０°程度の角度に設定し、消灯角度を上下方向に０°（すなわちカメラ正位置）に設定するのが望ましい（図４参照）。
【００２３】
（２）また、カメラ１で斜め下方を撮影する状況では、ユーザーはカメラ１を正位置に立てて液晶表示部６を確認する。この場合には、ユーザーは点灯角度を上下方向に０°（すなわちカメラ正位置）に設定する一方で、消灯角度を上下方向で負の方向（下向き）の角度に設定するのが望ましい（図５参照）。
（３）さらに、カメラ１を光軸回転方向に９０°回転させて縦位置で撮影する状況では、ユーザーは縦位置のままで液晶表示部６を確認することはなく、カメラ１を正位置に戻して液晶表示部６を確認する。この場合には、ユーザーは点灯角度を光軸回転方向に０°（すなわちカメラ正位置）に設定する一方で、消灯角度を光軸回転方向の正方向および負方向にそれぞれ設定（例えば、光軸回転方向で±４５°程度）するのが望ましい（図６参照）。上記３つの設定例のように点灯角度および消灯角度を設定すれば、液晶表示部６を見ようとするとバックライト６ａが自動的に点灯し、カメラ１を撮影する姿勢に戻すとバックライト６ａが自動的に消灯することとなる。
【００２４】
ステップＳ１０２：制御部１２はバックライト６ａの自動点灯モードがＯＮか否かを判定する。自動点灯モードがＯＮの場合（ＹＥＳ側）にはＳ１０３に移行する。一方、自動点灯モードがＯＦＦの場合（ＮＯ側）には、制御部１２はバックライト６ａの自動点灯モードの動作を終了する。
ステップＳ１０３：制御部１２はバックライト６ａが消灯状態か否かを判定する。バックライト６ａが消灯状態の場合（ＹＥＳ側）にはＳ１０４に移行する。一方、バックライト６ａが点灯状態の場合（ＮＯ側）にはＳ１０７に移行する。
【００２５】
ステップＳ１０４：制御部１２はカメラ傾斜センサ５の傾斜角データに基づいて、カメラ１の現在の傾斜角が点灯角度となったか否かを判定する。傾斜角が点灯角度となった場合（ＹＥＳ側）にはＳ１０６に移行する。一方、傾斜角が点灯角度に至らない場合（ＮＯ側）にはＳ１０５に移行する。
ステップＳ１０５：制御部１２はユーザーにより照明スイッチ９が押圧されているか否かを判定する。照明スイッチ９が押圧された場合（ＹＥＳ側）にはＳ１０６に移行する。一方、照明スイッチ９が押圧されていない場合（ＮＯ側）にはＳ１０２に戻って、制御部１２はＳ１０２からＳ１０５までの一連の判定を繰り返す。
【００２６】
ステップＳ１０６：制御部１２は、液晶表示部６のバックライト６ａを点灯させる。そして、制御部１２は点灯と同時に点灯時間のカウントを開始してＳ１０２に戻る。なお、本実施形態でバックライト６ａが点灯するのは、（１）カメラ１の傾斜角が点灯角度となった場合か、（２）照明スイッチ９が押圧された場合のいずれかである。
ステップＳ１０７：制御部１２はカメラ傾斜センサ５の傾斜角データに基づいて、カメラ１の現在の傾斜角が消灯角度となったか否かを判定する。傾斜角が消灯角度となった場合（ＹＥＳ側）にはＳ１１１に移行する。一方、傾斜角が消灯角度に至らない場合（ＮＯ側）にはＳ１０８に移行する。
【００２７】
ステップＳ１０８：制御部１２はユーザーにより照明スイッチ９が押圧されているか否かを判定する。照明スイッチ９が押圧された場合（ＹＥＳ側）にはＳ１１１に移行する。一方、照明スイッチ９が押圧されていない場合（ＮＯ側）にはＳ１０９に移行する。
ステップＳ１０９：制御部１２はユーザーにより図示しないレリーズ釦が半押しされているか否かを判定する。レリーズ釦が半押しされている場合（ＹＥＳ側）にはＳ１１１に移行する。一方、レリーズ釦が押圧されていない場合（ＮＯ側）にはＳ１１０に移行する。
【００２８】
ステップＳ１１０：制御部１２は点灯時間のカウント（Ｓ１０６）が閾値以上か（すなわち、バックライト６ａの点灯時から所定時間が経過したか）否かを判定する。点灯時から所定時間が経過している場合（ＹＥＳ側）にはＳ１１１に移行する。一方、バックライト６ａの点灯時から所定時間に満たない場合（ＮＯ側）にはＳ１０７に戻って、制御部１２はＳ１０７からＳ１１０までの一連の判定を繰り返す。
【００２９】
ステップＳ１１１：制御部１２は、液晶表示部６のバックライト６ａを消灯させてＳ１０２に戻る。なお、本実施形態でバックライト６ａが消灯するのは、（１）カメラ１の傾斜角が消灯角度となった場合、（２）照明スイッチ９が押圧された場合、（３）レリーズ釦が半押しされて撮影中と判断できる場合、（４）バックライト６ａの点灯時から所定時間が経過した場合、のいずれかに該当する場合である。以上で本実施形態におけるバックライトの自動点灯モードの説明を終了する。
【００３０】
上記のカメラ１の自動点灯モードでは、カメラ１の傾斜角が点灯角度または消灯角度となる場合にバックライト６ａを自動的に点灯／消灯させるので、煩雑なボタン操作が不要となってカメラの操作性が向上する。また、点灯角度および消灯角度はユーザーが自由に設定できるので、ユーザーが液晶表示部６を確認したい状況でバックライトが消灯したり、逆に液晶表示部６を見ない状況でバックライト６ａが長く点灯することもない。したがって、バックライト６ａの効率的な消灯でカメラの消費電力を抑制することもできる。
【００３１】
なお、点灯角度および消灯角度は、予めカメラ１に登録されている複数の角度から選択するか、あるいはカメラ１を実際に傾けて設定することもできるので、点灯角度および消灯角度の詳細な角度設定も比較的容易に行うことができる。
（液晶モニタの自動表示モードの説明）
以下、図７に沿って本実施形態における液晶モニタ７の自動表示モードを説明する。
【００３２】
ステップＳ２０１：制御部１２は、ユーザーの入力に基づいて液晶モニタ７の表示開始角度および表示停止角度を設定する。なお、表示開始角度および表示停止角度の設定方法は、上記のＳ１０１に示す点灯角度および消灯角度の設定方法と同様であるので説明を省略する。
ここで、図８を参照しつつ、液晶モニタ７の表示開始角度および表示停止角度の設定例を説明する。図８のようにカメラ１を正位置に構えて撮影する状況では、ユーザーはカメラ１を下側に傾けて液晶モニタ７を見る場合が多い。この場合には、表示開始角度を上下方向に−３０°〜−４５°程度の角度に設定し、消灯角度を上下方向に０°（すなわちカメラ正位置）に設定するのが望ましい。この場合には、カメラ１を下向きに傾けるとモニタ７の表示が自動的に開始され、カメラ１を正位置に戻すとモニタ７の表示が自動的に停止されることとなる。また、その他の例として、表示開始角度および表示停止角度をそれぞれ光軸回転方向に設定し、カメラ１を片側に傾けるとモニタ７の表示が自動的に開始され、カメラ１を逆向きに傾けるとモニタ７の表示が自動的に停止するような設定を行うことも可能である（図示を省略する）。
【００３３】
ステップＳ２０２：制御部１２は液晶モニタ７の自動表示モードがＯＮか否かを判定する。自動表示モードがＯＮの場合（ＹＥＳ側）にはＳ２０３に移行する。一方、自動表示モードがＯＦＦの場合（ＮＯ側）には、制御部１２は液晶モニタ７の自動表示モードの動作を終了する。
ステップＳ２０３：制御部１２は液晶モニタ７が表示停止状態か否かを判定する。液晶モニタ７が表示停止状態の場合（ＹＥＳ側）にはＳ２０４に移行する。一方、液晶モニタ７が表示状態の場合（ＮＯ側）にはＳ２０９に移行する。
【００３４】
ステップＳ２０４：制御部１２はカメラ傾斜センサ５の傾斜角データに基づいて、カメラ１の現在の傾斜角が表示開始角度となったか否かを判定する。傾斜角が表示開始角度となった場合（ＹＥＳ側）にはＳ２０６に移行する。一方、傾斜角が表示開始角度に至らない場合（ＮＯ側）にはＳ２０５に移行する。
ステップＳ２０５：制御部１２はユーザーによりモニタスイッチ１０が押圧されているか否かを判定する。モニタスイッチ１０が押圧された場合（ＹＥＳ側）にはＳ２０６に移行する。一方、モニタスイッチ１０が押圧されていない場合（ＮＯ側）にはＳ２０２に戻って、制御部１２はＳ２０２からＳ２０５までの一連の判定を繰り返す。
【００３５】
ステップＳ２０６：制御部１２は表示開始時に再生画面を表示する設定か否かを判定する。再生画面を表示する設定（ＹＥＳ側）の場合にはＳ２０７に移行する。一方、設定画面を表示する設定（ＮＯ側）の場合にはＳ２０８に移行する。
ステップＳ２０７：制御部１２は液晶モニタ７に再生画面の表示を開始する。この再生画面では記録媒体に記録された撮影画像データが再生表示され、例えば、複数の撮影画像をインデックス方式で表示する場合や、再生画像をスライドショー方式で順次再生する場合を含む。そして、制御部１２はＳ２０２に戻る。
【００３６】
ステップＳ２０８：制御部１２は液晶モニタ７に設定画面の表示を開始する。この設定画面では、例えば、画像サイズ、撮影画像の圧縮率などのカメラ１の設定変更を行うことができる。そして、制御部１２はＳ２０２に戻る。
ステップＳ２０９：制御部１２はカメラ傾斜センサ５の傾斜角データに基づいて、カメラ１の現在の傾斜角が表示停止角度となったか否かを判定する。傾斜角が表示停止角度となった場合（ＹＥＳ側）にはＳ２１２に移行する。一方、傾斜角が表示停止角度に至らない場合（ＮＯ側）にはＳ２１０に移行する。
【００３７】
ステップＳ２１０：制御部１２はユーザーによりモニタスイッチ１０が押圧されているか否かを判定する。モニタスイッチ１０が押圧された場合（ＹＥＳ側）にはＳ２１２に移行する。一方、モニタスイッチ１０が押圧されていない場合（ＮＯ側）にはＳ２１１に移行する。
ステップＳ２１１：制御部１２はユーザーにより図示しないレリーズ釦が半押しされているか否かを判定する。レリーズ釦が半押しされて撮影が行われる場合（ＹＥＳ側）にはＳ２１２に移行する。一方、レリーズ釦が押圧されていない場合（ＮＯ側）にはＳ２０２に戻って、制御部１２はＳ２０２、Ｓ２０３、Ｓ２０９〜Ｓ２１１の一連の判定を繰り返す。
【００３８】
ステップＳ２１２：制御部１２は液晶モニタ７の表示を停止させてＳ２０２に戻る。以上で本実施形態におけるバックライトの自動点灯モードの説明を終了する。
上記のカメラ１の自動表示モードでは、カメラ１の傾斜角が表示開始角度または表示停止角度となる場合に液晶モニタ７が自動的に表示開始／表示停止するので、上記の自動点灯モードと同様にカメラの操作性や利便性が向上する。
【００３９】
（請求項と実施形態との対応関係）
ここで、請求項と実施形態との対応関係を示しておく。なお、以下に示す対応関係はあくまで参考のために示した解釈であって、本発明の技術的範囲を限定するものではない。
「カメラの自動点灯モード」は請求項１から請求項２のカメラに対応し、「カメラの自動表示モード」は請求項３から請求項５のカメラに対応する。また、請求の範囲における「液晶表示部」には液晶表示部６および液晶モニタ７が対応する。「バックライト」にはバックライト６ａ，７ａが対応し、「カメラ傾斜センサ」にはカメラ傾斜センサ５が対応する。「角度設定部」および「制御部」には制御部１２が対応する。さらに、請求項３から請求項５の「モニタ」には液晶モニタ７が対応する。
【００４０】
（実施形態の補足事項）
以上、本発明を上記実施形態によって説明してきたが、本発明の技術的範囲は上記実施形態に限定されるものではない。例えば、本発明のカメラは電子カメラに限定されることなく、銀塩カメラについても適用することができる。なお、銀塩カメラの場合には、液晶モニタの自動表示モードで設定画面が表示されることとなる。
【００４１】
また、上記実施形態の自動点灯モードにおいて点灯角度または消灯角度のいずれか一方のみを設定し、バックライトの点灯または消灯の一方のみを傾斜角の検知で自動化するようにしてもよい。勿論、自動表示モードで表示開始角度または表示停止角度の一方のみを設定してもよい。
【産業上の利用可能性】
【００４２】
本発明は、バックライトが裏面に配置された液晶表示部を有するカメラ、再生画像等を表示するためのモニタを有するカメラなどに広く適用できる。
【図面の簡単な説明】
【００４３】
【図１】本実施形態のカメラのブロック図
【図２】カメラ傾斜センサが検知する傾斜角の方向を示す斜視図
【図３】本実施形態におけるバックライトの自動点灯モードの流れ図
【図４】点灯角度および消灯角度の設定例を示す図
【図５】点灯角度および消灯角度の設定例を示す図
【図６】点灯角度および消灯角度の設定例を示す図
【図７】本実施形態における液晶モニタの自動表示モードの流れ図
【図８】表示開始角度および表示停止角度の設定例を示す図
【符号の説明】
【００４４】
１  カメラ
２  撮像素子
３  Ａ／Ｄ変換部
４  画像処理部
５  カメラ傾斜センサ
６  液晶表示部
６ａ  バックライト
７  液晶モニタ
７ａ  バックライト
８  操作部
９  照明スイッチ
１０  モニタスイッチ
１１  切替スイッチ
１２  制御部
【図１】
2006135767.tif 000003
【図２】
2006135767.tif 000004
【図３】
2006135767.tif 000005
【図４】
2006135767.tif 000006
【図５】
2006135767.tif 000007
【図６】
2006135767.tif 000008
【図７】
2006135767.tif 000009
【図８】
2006135767.tif 000010